(57)【要約】      （修正有）【課題】簡単な構成でありながら、施錠作業や解錠作業に要するユーザの負担を軽減し、施開錠作業をスムーズ且つ適切に行うことが可能なネジ締り錠を提供する。【解決手段】ネジ軸部２の先端部において軸周りに対向する２つの領域を雄ネジ切除領域２Ｂに設定し且つ雄ネジ切除領域２Ｂ同士の間を雄ネジ形成領域２Ａに設定した雄ネジ部材１と、雌ネジ部材４の内周面において軸周りに対向する２つの領域を雌ネジ切除領域４Ｂに設定し且つ雌ネジ切除領域４Ｂ同士の間を雌ネジ形成領域４Ａに設定した雌ネジ部材４とを備えたネジ締り錠Ｘとし、ネジ軸部２を、雄ネジ形成領域２Ａが雌ネジ切除領域４Ｂに対面する非螺合姿勢と、雄ネジ形成領域２Ａが雌ネジ形成領域４Ａに対面する螺合姿勢との間で変更可能に構成した。【選択図】図８
2017203246.tif 000002
【特許請求の範囲】
【請求項１】
所定の移動スペース範囲内で移動可能な開閉体の枠に設けられ且つ当該開閉体を厚み方向に貫通する姿勢で配置されるネジ軸部を有する雄ネジ部材と、前記ネジ軸部の先端部に設けた雄ネジに螺合可能な雌ネジを内周面に有する雌ネジ部材とを備え、
前記雄ネジ部材は、前記ネジ軸部の先端部において軸周りに対向する２つの領域を、前記雄ネジの溝の深さまで切除された雄ネジ切除領域に設定し、且つ軸周りにおいてこれら雄ネジ切除領域同士の間を前記雄ネジが形成された雄ネジ形成領域に設定したものであり、
前記雌ネジ部材は、前記雌ネジ部材の内周面において軸周りに対向する２つの領域を、前記雌ネジの溝の深さまで切除された雌ネジ切除領域に設定し、且つ軸周りにおいてこれら雌ネジ切除領域同士の間を前記雌ネジが形成された雌ネジ形成領域に設定したものであり、
前記ネジ軸部を、前記雄ネジ形成領域が前記雌ネジ切除領域に対面し且つ前記雄ネジ切除領域が前記雌ネジ形成領域に対面する非螺合姿勢と、前記雄ネジ形成領域が前記雌ネジ形成領域に対面し且つ前記雄ネジ切除領域が前記雌ネジ切除領域に対面する螺合姿勢との間で変更可能に構成していることを特徴とするネジ締り錠。
【請求項２】
前記雄ネジ部材は、基端部に扁平形状の摘まみ部を有し、前記摘まみ部の厚み方向が上下となる水平状態で前記ネジ軸部が螺合姿勢になり、前記摘まみ部を前記水平状態に対してほぼ９０°回転させた直立状態で前記ネジ軸部が非螺合姿勢になる請求項１に記載のネジ締り錠。
【請求項３】
前記雄ネジ部材は、軸周りの特定の位置でのみ前記雌ネジ部材への挿脱を許容する挿脱規制部を有するものである請求項１又は２に記載のネジ締り錠。
【請求項４】
前記雄ネジ部材は、前記開閉体の木製枠に設けられ且つ当該木製枠を厚み方向に貫通する姿勢で配置されるものである請求項１乃至３の何れかに記載のネジ締り錠。
【請求項５】
請求項１乃至４の何れかに記載のネジ締り錠を構成し、雄ネジを先端部に設けたネジ軸部を有する雄ネジ部材であって、
前記ネジ軸部の先端部において軸周りに対向する２つの領域を、前記雄ネジの溝の深さまで切除された雄ネジ切除領域に設定し、且つ軸周りにおいてこれら雄ネジ切除領域同士の間を前記雄ネジが形成された雄ネジ形成領域に設定したものであることを特徴とする雄ネジ部材。
【請求項６】
請求項１乃至４の何れかに記載のネジ締り錠を構成し、雌ネジを内周面に有する雌ネジ部材であって、
当該雌ネジ部材の内周面において軸周りに対向する２つの領域を、前記雌ネジの溝の深さまで切除された雌ネジ切除領域に設定し、且つ軸周りにおいてこれら雌ネジ切除領域同士の間を前記雌ネジが形成された雌ネジ形成領域に設定したものであることを特徴とする雌ネジ部材。
【発明の詳細な説明】
【技術分野】
【０００１】
本発明は、例えば引き違いの引き戸同士の召し合わせ部分等に適用可能なネジ締り錠、及びネジ締り錠を構成する雄ネジ部材、雌ネジ部材に関するものである。
【背景技術】
【０００２】
従来より、木製枠の引き戸同士や窓同士（以後の説明では引き戸等の扉や窓を総称して「開閉体」という）の召し合わせ部分に設けられる錠として、一方の開閉体の木製枠に設けられる雄ネジ部材と、他方の開閉体の木製枠に設けられる雌ネジ部材とを相互に螺合させることによって、開閉体同士を相対移動不能に施錠することが可能なネジ締り錠が知られている。この種のネジ締り錠は、雄ネジ部材として、外周面のうち先端を含む所定領域に雄ネジを切ったネジ軸を適用し、このネジ軸の基端部に設けられた摘まみ部をユーザが摘まんで所定方向に雄ネジ部材全体を回転させることによって、筒状の雌ネジ部材の内周面に形成されている雌ネジに雄ネジが螺合するように構成されている（例えば、特許文献１参照）。特に、雄ネジ部材が、摘まみ部とネジ軸との接合部分で摘まみ部をネジ軸の軸方向に対してほぼ直角に曲がるように設定されたネジ締り錠は、「中折締り錠」と呼ばれている。
【先行技術文献】
【特許文献】
【０００３】
【特許文献１】特開２００５−２７３４３７号公報（特に図７及び図８参照）
【発明の概要】
【発明が解決しようとする課題】
【０００４】
ところで、従来のネジ締り錠は、ユーザが雄ネジ部材の先端を雌ネジ部材に差し込んで雄ネジ部材全体を３６０°以上回転させる操作、実際には数回転させる操作を行うことで安定した螺合状態・施錠状態になるように構成され、またネジ同士の螺合状態を解除する際には雄ネジ部材全体を施錠処理時と逆方向に３６０°以上回転させる操作が要求される仕様になっている。したがって、従来のネジ締り錠は、手先が不自由な人（老人、障害者等）や子供にとっては扱い難く、ユニバーサルデザインという観点において改善の余地がある。
【０００５】
特に、近時では、安らぎや温もりを志向する設計デザインにおいて、木製枠が建物の外観や内観のイメージ向上に貢献したり、木材の持つ高い断熱性及び防露性が高く評価され、例えば学校、公共施設、病院・老人医療施設、或いは一般住宅等に、木製枠の引き戸や窓が導入される事例が増えている。このような事情により、ネジ締り錠の需要数も増大する傾向にある。
【０００６】
なお、実公平０５−０４２２１３号公報には、先端部にのみネジ溝が形成された一対の分割ナットを共通のケースに収容し、各分割ナットの基端部をケースにそれぞれ枢着し、ケースと各分割ナット体の間にそれぞれ設けたバネによって、各分割ナットを相寄る方向に付勢するように構成するとともに、ネジ軸として、雄ネジが形成された先端部分の外周面に平坦面部を対向するように設けたものを適用したロック装置が開示されている。
【０００７】
具体的には、ネジ軸のうち雄ネジが形成された部分の直径を、分割ナットのネジ溝同士が最も接近した時の間隔と同じか若干大きく設定する一方、平坦面部間の厚み寸法を、分割ナットのネジ溝同士が最も接近した時の間隔よりも小さく設定した構成が開示されている。このような構成であれば、ケースに対してネジ軸を挿入することによって、ネジ軸の雄ネジが各分割ナットのネジ溝に噛み合い、バネの付勢力によってネジ軸を一対の分割ナットで挟持することが可能であり、挟持状態においてネジ軸を９０度前後回転させることによってネジ軸の雄ネジと各分割ナットのネジ溝と噛み合いが外れ、一対の分割ナットによるネジ軸の挟持状態を解除することが可能である。
【０００８】
しかしながら、上記構成は、各分割ナットをバネで付勢する必要があるため、構造が複雑であり、バネの付勢力が所定値よりも強ければ、ネジ溝同士が最も接近した時の間隔が所定値よりも小さくなり、分割ナット同士の間にネジ軸を挿入する作業をスムーズに行うことができず、分割ナット同士の間にネジ軸を半ば強引に挿入して噛合挟持状態にした場合には、その噛合挟持状態を解除する作業をスムーズに行うことが極めて困難である。また、バネの付勢力が所定値よりも弱ければ、ネジ溝同士が最も接近した時の間隔が所定値よりも大きくなり、分割ナット同士の間にネジ軸を挿入してもネジ軸の雄ネジが各分割ナットのネジ溝に噛み合わず、ネジ軸を一対の分割ナットで挟持できない事態に陥る。
【０００９】
本発明は、このような問題に着目してなされたものであって、主たる目的は、部品点数の増加及び構造の複雑化を招来することなく、簡単な構成でありながら、雄ネジ部材と雌ネジ部材を螺合させる作業、及び螺合状態を解除する作業に要するユーザの負担を軽減し、施錠作業や解錠作業をスムーズ且つ適切に行うことが可能なネジ締り錠、及びネジ締り錠を構成する雄ネジ部材、雌ネジ部材を提供することにある。
【課題を解決するための手段】
【００１０】
すなわち、本発明は、所定の移動スペース範囲内で移動可能な開閉体に設けられ且つ当該開閉体を厚み方向に貫通する姿勢で配置されるネジ軸部を有する雄ネジ部材と、ネジ軸部の先端部に設けた雄ネジに螺合可能な雌ネジを内周面に有する雌ネジ部材とを備えたネジ締り錠に関するものである。本発明における「開閉体」としては、戸や襖、衝立、或いは窓等を挙げることができる。また、本発明のおける雌ネジ部材は、雄ネジ部材が設けられた開閉体とは異なる開閉体に設けられるものであってもよいし、雄ネジ部材が設けられた開閉体の移動範囲を仕切る仕切り枠（開口枠）に直接又は他の部材を介して間接的に設けられるものであってもよい。
【００１１】
そして、本発明に係るネジ締り錠は、雄ネジ部材として、ネジ軸部の先端部において軸周りに対向する２つの領域を、雄ネジの溝の深さまで切除された雄ネジ切除領域に設定し、且つ軸周りにおいてこれら雄ネジ切除領域同士の間を雄ネジが形成された雄ネジ形成領域に設定したものを適用するとともに、雌ネジ部材として、雌ネジ部材の内周面において軸周りに対向する２つの領域を、雌ネジの溝の深さまで切除された雌ネジ切除領域に設定し、且つ軸周りにおいてこれら雌ネジ切除領域同士の間を雌ネジが形成された雌ネジ形成領域に設定したものを適用し、ネジ軸部を、雄ネジ形成領域が雌ネジ切除領域に対面し且つ雄ネジ切除領域が雌ネジ形成領域に対面する非螺合姿勢と、雄ネジ形成領域が雌ネジ形成領域に対面し且つ雄ネジ切除領域が雌ネジ切除領域に対面する螺合姿勢との間で変更可能に構成していることを特徴としている。
【００１２】
このような本発明に係るネジ締り錠であれば、雄ネジ部材のネジ軸部を非螺合姿勢にして雄ネジ形成領域が雌ネジ切除領域に対面する状態を確保することで、ネジ軸部の先端部を雌ネジ部材に向かってスムーズに挿入して差し込むことができるとともに、ネジ軸部の先端部を雌ネジ部材に差し込んだ状態で、雄ネジ部材のネジ軸部を非螺合姿勢から雄ネジ形成領域が雌ネジ形成領域に対面する螺合姿勢に変更することによって、雄ネジ部材のうち雄ネジ形成領域にのみ形成されている雄ネジを、雌ネジ部材のうち雌ネジ形成領域にのみ形成されている雌ネジに螺合させることができ、施錠状態になる。
【００１３】
特に、本発明に係るネジ締り錠は、雄ネジ部材のネジ軸部の外周面において対向する２つの領域を雄ネジ切除領域に設定し、これら２つの雄ネジ切除領域同士の間を雄ネジ形成領域に設定するという第１条件と、雌ネジ部材の内周面において対向する２つの領域を雌ネジ切除領域に設定し、これら２つの雌ネジ切除領域同士の間を雌ネジ形成領域に設定するという第２条件を満たすものであるため、ユーザが雄ネジ部材全体を軸周りにほぼ９０°回転させる所定の操作力を付与することで雄ネジ部材のネジ軸部を非螺合姿勢から螺合姿勢へ変更することができ、ユーザが雄ネジ部材全体を軸周りに一回転以上回転させる操作力が要求される従来のネジ締り錠と比較して、施錠処理を簡単に行うことができる。また、本発明であれば、ユーザが雄ネジ部材全体を軸周りにほぼ９０°回転させる所定の操作力を付与することで雄ネジ部材のネジ軸部を螺合姿勢から非螺合姿勢へ変更することができ、施錠を解除する処理も、ユーザが雄ネジ部材全体を軸周りに一回転以上回転させる操作力が要求される従来のネジ締り錠と比較して簡単に行うことができる。
【００１４】
加えて、本発明に係るネジ締り錠によれば、雄ネジ又は雌ネジの溝の深さまで切除された領域である雄ネジ切除領域及び雌ネジ切除領域を利用して、雄ネジ部材と雌ネジ部材が相互に螺合する状態や相互に螺合しない状態を上述の操作力によって実現することができ、例えばバネ等の付勢力によって良好な螺合状態を実現する態様と比較して、適切な付勢力を設計する手間も不要であり、構造の簡素化及びコンパクト化を図ることができる。
【００１５】
本発明において、ユーザによる施錠・解錠処理をスムーズに行うことができるようにするには、雄ネジ部材の基端部に扁平形状の摘まみ部を設け、摘まみ部の厚み方向が上下となる水平状態でネジ軸部が螺合姿勢になり、摘まみ部を水平状態に対してほぼ９０°回転させた直立状態でネジ軸部が非螺合姿勢になるように構成することが好ましい。このような構成であれば、ユーザが手のひらを下に向けた自然な格好（手のひらを横に向けて親指を人差し指よりも上側にする必要のない格好）で摘まみ部を親指と人差し指で摘まんで直立状態にすることで、ネジ軸部が非螺合姿勢になり、ネジ軸部を非螺合姿勢にして行う雌ネジ部材に対する雄ネジ部材の差込処理をスムーズに行うことができる。また、差込処理に続いて、直立状態にある摘まみ部を倒伏させる方向にほぼ９０°回転させる操作力を付与することで、摘まみ部が水平状態になり、これに伴って、ネジ軸部が非螺合姿勢から螺合姿勢に変更して、雄ネジ部材及び雌ネジ部材を相互に螺合させることができる。
【００１６】
また、本発明では、雄ネジ部材として、軸周りの特定の位置でのみ雌ネジ部材への挿脱を許容する挿脱規制部を備えたものを適用することができる。
【００１７】
本発明に係るネジ締り錠は、施錠・解錠が要求される開閉体に設けられるものであり、特に、導入事例が増加傾向にある木製枠を有する開閉体にも適用可能なものである。一例として、雄ネジ部材を開閉体の木製枠に当該木製枠を厚み方向に貫通する姿勢で設けた態様を挙げることができる。この場合、雌ネジ部材は、雄ネジ部材を付帯させた開閉体に対して引き違いの関係にある開閉体の適宜箇所（例えば木製枠）に配置したり、雄ネジ部材を付帯させた開閉体の移動範囲を仕切る仕切り枠（開口枠）に配置することも可能である。
【００１８】
また、本発明に係る雄ネジ部材は、上述のネジ締り錠を構成し、雄ネジを先端部に設けたネジ軸部を有するものであって、ネジ軸部の先端部において軸周りに対向する２つの領域を、雄ネジの溝の深さまで切除された雄ネジ切除領域に設定し、且つ軸周りにおいてこれら雄ネジ切除領域同士の間を雄ネジが形成された雄ネジ形成領域に設定したものであることを特徴としている。
【００１９】
また、本発明に係る雌ネジ部材は、上述のネジ締り錠を構成し、雌ネジを内周面に有するものであって、当該雌ネジ部材の内周面において軸周りに対向する２つの領域を、雌ネジの溝の深さまで切除された雌ネジ切除領域に設定し、且つ軸周りにおいてこれら雌ネジ切除領域同士の間を雌ネジが形成された雌ネジ形成領域に設定したものであることを特徴としている。
【００２０】
このような構造が複雑ではない本発明に係る雄ネジ部材や雌ネジ部材を用いることで、上述の作用効果を奏する新規有用なネジ締り錠を構成することができる。
【発明の効果】
【００２１】
以上に述べたように、本発明によれば、雄ネジ部材として、ネジ軸部の先端部において軸周りに雄ネジ切除領域及び雄ネジ形成領域をほぼ９０°ピッチで交互に設定したものを適用するとともに、雌ネジ部材として、内周面において軸周りに雌ネジ切除領域及び雌ネジ形成領域をほぼ９０°ピッチで交互に設定したものを適用し、ネジ軸部を、雄ネジ形成領域が雌ネジ切除領域に対面する非螺合姿勢と、雄ネジ形成領域が雌ネジ形成領域に対面する螺合姿勢との間で変更可能に構成しているため、バネ等の付勢部材を別途用いることなく、簡単な構成でありながら、雄ネジ部材と雌ネジ部材を螺合させる作業、及び螺合状態を解除する作業に要するユーザの負担を軽減し、施錠作業や解錠作業をスムーズ且つ適切に行うことが可能なネジ締り錠を提供することができる。
【図面の簡単な説明】
【００２２】
【図１】本発明の一実施形態に係るネジ締り錠を開閉体に適用した模式図。
【図２】図１の開閉体を全閉位置に位置付けた状態の模式図。
【図３】同実施形態に係る非螺合姿勢の雄ネジ部材を示す図。
【図４】同実施形態に係る螺合姿勢の雄ネジ部材を示す図。
【図５】同実施形態に係る中折れ状態の雄ネジ部材を示す図。
【図６】同実施形態に係る雌ネジ部材を示す図。
【図７】同実施形態に係る非施錠状態（仮ロック状態）のネジ締り錠を示す図。
【図８】同実施形態に係る施錠状態のネジ締り錠を示す図。
【発明を実施するための形態】
【００２３】
以下、本発明の一実施形態を、図面を参照して説明する。
【００２４】
本実施形態に係るネジ締り錠Ｘは、図１及び図２に示すように、例えば、横木等の仕切り材Ｓで仕切られた開口部Ｓ１（所定の移動スペース範囲）内で移動可能な第１開閉体Ｄ１，第２開閉体Ｄ２の各木製枠Ｆ１，Ｆ２に個別に設けた雄ネジ部材１と、雌ネジ部材４とを備えたものである。このネジ締り錠Ｘは、第１開閉体Ｄ１と第２開閉体Ｄ２の召し合わせ部分Ｍ（図２参照）に設けられ、雄ネジ部材１及び雌ネジ部材４を相互に螺合させることで、各開閉体Ｄ１，Ｄ２の相対移動を規制する施錠状態になる。
【００２５】
雄ネジ部材１は、図３及び図４に示すように、第１開閉体Ｄ１の木製枠Ｆ１を厚み方向に貫通する姿勢で配置されるネジ軸部２と、ユーザが例えば親指と人差し指で摘まむことが可能な摘まみ部３とを備えている。ここで、図３は、ネジ軸部２が後述する非螺合姿勢にある雄ネジ部材１を示す図であり、同図（ａ）は、雄ネジ部材１を木製枠Ｆ１の厚み方向に差し込んだ状態を示す側面図であり、同図（ｂ）は、雄ネジ部材１を木製枠Ｆ１から所定距離引き抜いた状態を示す側面図であり、同図（ｃ）は、同図（ｃ）は、同図（ａ）の矢印Ａ方向から見たネジ軸部２を示す図である。また、図４は、ネジ軸部２が後述する螺合姿勢にある雄ネジ部材１を示す図であり、同図（ａ）は、雄ネジ部材１を木製枠Ｆ１の厚み方向に差し込んだ状態を示す図であり、同図（ｂ）は、雄ネジ部材１を木製枠Ｆ１から所定距離引き抜いた状態を図３（ｂ）に対応させて示す図であり、同図（ｃ）は、同図（ａ）の矢印Ａ方向から見たネジ軸部２を示す図である。なお、図３、図４及び後述の図５では、第１開閉体Ｄ１の木製枠Ｆ１を二点鎖線で示している。
【００２６】
ネジ軸部２の先端部には、雄ネジ２Ｓが形成された雄ネジ形成領域２Ａと、雄ネジ２Ｓの溝の深さまで例えば切削により切除された雄ネジ切除領域２Ｂとを軸周りに交互に設定している。本実施形態では、ネジ軸部２の外周面において軸周りに対向する２つの領域を雄ネジ切除領域２Ｂに設定し、これら２つの雄ネジ切除領域２Ｂに挟まれる領域を雄ネジ形成領域２Ａに設定している。すなわち、本実施形態のネジ軸部２は、雄ネジ形成領域２Ａと雄ネジ切除領域２Ｂをネジ軸部２の外周面において軸周りにほぼ９０°ピッチで交互に設定したものである。各雄ネジ切除領域２Ｂは、ネジ軸部２の軸方向に沿ったフラットな平坦面に設定されている。したがって、軸周りに対向する２つの雄ネジ切除領域２Ｂは、相互に平行な平坦面である（図３（ｃ）、図４（ｃ）参照）。
【００２７】
本実施形態の雄ネジ部材１は、基端部に摘まみ部３を有する第１雄ネジ要素１１と、先端部に雄ネジ形成領域２Ａ及び雄ネジ切除領域２Ｂを有する第２雄ネジ要素１２（上述のネジ軸部２）を相互に連結し、連結部分で第１雄ネジ要素１１を第２雄ネジ要素１２（ネジ軸部２）の軸方向に対してほぼ直角に曲がるように設定した中折締り錠である。具体的には、第１雄ネジ要素１１と、第２雄ネジ要素１２（ネジ軸部２）を１本の連結軸Ｌによって相互に連結し、第１雄ネジ要素１１が第２雄ネジ要素１２（ネジ軸部２）に対して連結軸Ｌを中心に回転することで、第１雄ネジ要素１１を第２雄ネジ要素１２（ネジ軸部２）の軸方向に対してほぼ直角に曲がるように構成している。なお、第２雄ネジ要素１２（ネジ軸部２）のうち、雄ネジ形成領域２Ａと雄ネジ切除領域２Ｂをネジ軸部２の外周面において軸周りに交互に設けた先端部を除く領域は、雄ネジ２Ｓの谷径（雄ネジ２Ｓの溝を基準にした直径）と同じ直径の円柱状に設定され、第１雄ネジ要素１１のうち摘まみ部３よりも先端側の領域も、雄ネジ２Ｓの谷径と同じ直径の円柱状に設定されている（図３（ｂ）等参照）。
【００２８】
そして、図３（ａ），（ｂ）に示すように、第１雄ネジ要素１１の先端部に、第２雄ネジ要素１２（ネジ軸部２）に向かって延伸する嵌合突起１３を設けるとともに、第２雄ネジ要素１２（ネジ軸部２）の基端部に、嵌合突起１３が嵌合可能な嵌合凹部１４を形成し、これら嵌合突起１３及び嵌合凹部１４を嵌合させた状態で、第１雄ネジ要素１１と第２雄ネジ要素１２（ネジ軸部２）を共通の連結軸Ｌによって連結している。
【００２９】
本実施形態では、図３（ａ），（ｂ）等に示すように、雄ネジ部材１を回転可能に支持するベース部材５を備えている。ベース部材５は、プレート状のベース本体５１と、ベース本体５１の背面５１ｂ（後向き面）における中心部から後方に突出する円筒状のボス部５２とを有し、ボス部５２の内部空間が雄ネジ支持孔５３として機能するものである。ベース本体５１の中心部には、ボス部５２の内部空間に連通する貫通孔を形成し、当該貫通孔も雄ネジ支持孔５３として機能している。雄ネジ支持孔５３の内径は、雄ネジ２Ｓの谷径よりも大きく且つ雄ネジ２Ｓの外径（雄ネジ２Ｓの山を基準にした直径）よりも小さい値に設定されている。
【００３０】
このようなベース部材５の雄ネジ支持孔５３に雄ネジ部材１を支持させた状態では、雄ネジ部材１の第２雄ネジ要素１２（ネジ軸部２）が水平姿勢に保持され、軸周りに回転可能である。また、雄ネジ部材１は、雄ネジ支持孔５３に支持された状態で、前後方向（ベース部材５の厚み方向）に進退移動可能である。本実施形態では、図３（ａ），図４（ａ）に示すように、第１雄ネジ要素１１の摘まみ部３がベース部材５（ベース本体５１）に当たる位置まで雄ネジ部材１を雄ネジ支持孔５３に差し込む方向（奥方）へ移動させることが可能であり、図３（ｂ），図４（ｂ）に示すように、第２雄ネジ要素１２（ネジ軸部２）の雄ネジ形成領域２Ａの雄ネジ２Ｓがベース部材５（ボス部５２）に当たる位置まで雄ネジ部材１を雄ネジ支持孔５３から抜く方向（手前側）へ移動させることが可能である。また、雄ネジ部材１を手前側へ移動させた場合、雄ネジ形成領域２Ａの雄ネジ２Ｓがベース部材５（ボス部５２）に当たるよりも前の時点で、第１雄ネジ要素１１全体が雄ネジ支持孔５３から抜け外れ、抜け外れた時点で第１雄ネジ要素１１が連結軸Ｌを中心に回転可能な状態になる。そして、図５に示すように、第１雄ネジ要素１１が自重または外力によって連結軸Ｌを中心に第２雄ネジ要素１２（ネジ軸部２）に対してほぼ直角になる角度まで回転すると、雄ネジ部材１全体は中折れ状態になる。なお、図５（ａ）は、中折れ状態にある雄ネジ部材１を図３（ｂ）に対応させて示す図であり、図５（ｂ）は、同図（ａ）の矢印Ａ方向から見た図（中折れ状態の雄ネジ部材１の正面図）である。
【００３１】
ベース部材５の所定箇所（本実施形態では、ベース本体５１の上端部近傍と下端部近傍の２箇所）にはネジ挿通孔５４が形成されている。したがって、雄ネジ部材１をベース部材５に回転・進退動作可能に支持させた状態で、ベース部材５の背面５１ｂを第１開閉体Ｄ１の木製枠Ｆ１に接触させて各ネジ挿通孔５４に挿入したネジ５５（図５（ｂ）にのみ図示）を木製枠Ｆ１に締め付けることによって、雄ネジ部材１を第１開閉体Ｄ１に取り付けることができる。
【００３２】
雌ネジ部材４は、雄ネジ部材１の雄ネジ２Ｓに螺合可能な雌ネジ４Ｓを内周面に有するものである。本実施形態では、図６に示すように、例えばプレート状の取付部４１と、取付部４１の中心部から後方に突出して内周面に雌ネジ４Ｓが形成された筒状の雌ネジ本体部４２とを有する雌ネジ部材４を適用している。取付部４１の中心部には、雌ネジ本体部４２の内周面に連続する連通孔を形成し、連通孔の内周面にも雌ネジ４Ｓを形成している。以後の説明では、雌ネジ本体部４２の内周面及び連通孔の内周面を、「雌ネジ部材４の内周面４３」とする。なお、図６（ａ）は、雌ネジ部材４の側面図であり、同図（ｂ）は、同図（ａ）の矢印Ａ方向から見た図である。
【００３３】
雌ネジ部材４の内周面４３には、雌ネジ４Ｓが形成された雌ネジ形成領域４Ａと、雌ネジ４Ｓの溝の深さまで例えば切削により切除された雌ネジ切除領域４Ｂとを軸周りに交互に設定している。本実施形態では、雌ネジ部材４の内周面４３において軸周りに対向する２つの領域を雌ネジ切除領域４Ｂに設定し、これら２つの雌ネジ切除領域４Ｂに挟まれる領域を雌ネジ形成領域４Ａに設定している。すなわち、本実施形態の雌ネジ部材４は、雌ネジ形成領域４Ａと雌ネジ切除領域４Ｂを雌ネジ部材４の内周面４３において軸周りにほぼ９０°ピッチで交互に設定したものである。各雌ネジ切除領域４Ｂは、凹凸がほぼ皆無である部分円弧状の面に設定されている。本実施形態では、雌ネジ部材４の内周面４３において上下方向に対向する２つの領域を雌ネジ切除領域４Ｂに設定している。
【００３４】
雌ネジ部材４の所定箇所（本実施形態では、取付部４１の上端部近傍と下端部近傍の２箇所）にはネジ挿通孔４４が形成されている。したがって、雌ネジ部材４の背面５１ｂを第２開閉体Ｄ２の木製枠Ｆ２に接触させて各ネジ挿通孔４４に挿入したネジＢ４５（図６（ｂ）にのみ図示）を第２開閉体Ｄ２の木製枠Ｆ２に締め付けることによって、雌ネジ部材４を第２開閉体Ｄ２に取り付けることができる。なお、図６では、第２開閉体Ｄ２の木製枠Ｆ２を二点鎖線で示している。
【００３５】
次に、このような雄ネジ部材１及び雌ネジ部材４を備えた本実施形態に係るネジ締り錠Ｘの使用手順及び作用について、図７及び図８等を参照して説明する。
【００３６】
第１開閉体Ｄ１及び第２開閉体Ｄ２がネジ締り錠Ｘによって施錠されていない状態であれば、これら第１開閉体Ｄ１及び第２開閉体Ｄ２は、開口部Ｓ１内で相互に平行なレール（図示省略）に沿って相互に引き違い可能に移動させることができる（図１参照）。そして、第１開閉体Ｄ１及び第２開閉体Ｄ２をネジ締り錠Ｘによって施錠する場合には、先ず、第１開閉体Ｄ１の木製枠Ｆ１に設けた雄ネジ部材１と、第２開閉体Ｄ２の木製枠Ｆ２に設けた雌ネジ部材４が前後方向（第１開閉体Ｄ１、第２開閉体Ｄ２の厚み方向）に重なるように、第１開閉体Ｄ１及び第２開閉体Ｄ２を所定位置まで移動させる。具体的には、図２に示すように、第１開閉体Ｄ１及び第２開閉体Ｄ２によって開口部Ｓ１を全閉可能な位置に第１開閉体Ｄ１及び第２開閉体Ｄ２を位置付ける。これにより、ネジ締り錠Ｘが開閉体（第１開閉体Ｄ１、第２開閉体Ｄ２）同士の召し合わせ部分Ｍに位置付けられる。
【００３７】
この時点において摘まみ部３に対して特段の操作力が付与されていなければ、摘まみ部３を含む第１雄ネジ要素１１全体が連結軸Ｌを枢支点として垂下した姿勢にあり、雄ネジ部材１は中折れ状態にある（図２及び図５参照）。この中折れ状態では、ネジ軸部２（第２ネジ要素）の先端が第１開閉体Ｄ１（具体的には木製枠Ｆ１）の厚み寸法内に収まっているため、雄ネジ部材１が第２開閉体Ｄ２や雌ネジ部材４と干渉することはない（図５（ａ）参照）。
【００３８】
そして、ユーザが摘まみ部３を持って、垂下姿勢にある第１雄ネジ要素１１の軸方向がネジ軸部２（第２ネジ要素）の軸方向と一致するように第１雄ネジ要素１１を、連結軸Ｌを中心に上方へ回転させる。これにより、雄ネジ部材１全体が水平姿勢となる（図４（ｂ）参照）。
【００３９】
次いで、ネジ軸部２を、雄ネジ形成領域２Ａが雌ネジ切除領域４Ｂに対面し且つ雄ネジ切除領域２Ｂが雌ネジ形成領域４Ａに対面する非螺合姿勢にする。本実施形態では、扁平形状の摘まみ部３を適用し、摘まみ部３の厚み方向が上下となる水平状態でネジ軸部２が螺合姿勢になり、雄ネジ部材１全体を水平姿勢に維持したまま摘まみ部３を水平状態から軸周りにほぼ９０°回転させた直立状態でネジ軸部２が非螺合姿勢になるように設定している。したがって、摘まみ部３をユーザが例えば親指と人差し指で摘まんで、摘まみ部３の厚み方向が左右方向（幅方向）となる直立状態にすることで、ネジ軸部２を非螺合姿勢にすることができる（図３（ｂ）参照）。
【００４０】
引き続いて、ユーザが摘まみ部３を摘まんだ状態で、雄ネジ部材１全体を雌ネジ部材４に向かって押し込み、ネジ軸部２の先端部を雌ネジ部材４の内周面４３に差し込む。この際、ネジ軸部２は非螺合姿勢にあるため、ネジ軸部２の先端部の所定領域に設定している雄ネジ形成領域２Ａが、雌ネジ部材４の内周面の所定領域に設定している雌ネジ形成領域４Ａに対面せず、これら雄ネジ形成領域２Ａ及び雌ネジ形成領域４Ａ同士が干渉する事態を回避して、ネジ軸部２の先端部を雌ネジ部材４の内周面４３に差し込む処理をスムーズに行うことができる（図７（ｂ）参照）。また、ネジ軸部２の先端部を雌ネジ部材４の内周面４３にある程度差し込んだ時点で、図７（ａ）に示すように、摘まみ部３がベース部材５（ベース本体５１）に当たり、雄ネジ部材１のそれ以上同一方向（雄ネジ部材１を雌ネジ部材４に差し込む方向）への移動が規制される。なお、図７（ｂ）は、同図（ａ）の矢印Ａ方向から見た要部拡大模式図である。
【００４１】
そして、図８（ａ）に示すように、ネジ軸部２の先端部を雌ネジ部材４の内周面４３に差し込んだ状態で、ユーザが摘まみ部３を直立状態から水平状態に変更する操作力を付与することによって、ネジ軸部２が非螺合姿勢から螺合姿勢になり、雄ネジ部材１を雌ネジ部材４に螺合させることができる。具体的には、ユーザが摘まみ部３を摘まんだ状態で所定方向にほぼ９０°回転させると、摘まみ部３は直立状態から水平状態になり、これに伴って雄ネジ部材１全体がほぼ９０°回転し、雄ネジ部材１は、雄ネジ形成領域２Ａが雌ネジ形成領域４Ａに対面し且つ雄ネジ切除領域２Ｂが雌ネジ切除領域４Ｂに対面する螺合姿勢になり、相互に対面する雄ネジ形成領域２Ａの雄ネジ２Ｓと雌ネジ形成領域４Ａの雌ネジ４Ｓが相互に螺合する（図８（ｂ）参照）。より具体的には、ユーザが摘まみ部３を摘まんだ状態で所定方向に回転させると、その回転角度が９０°未満（例えば４５°程度）となる時点で、雄ネジ形成領域２Ａが雌ネジ形成領域４Ａに対面し始めて、回転角度が９０°に近付くにしたがって雌ネジ形成領域４Ａに対面する雄ネジ形成領域２Ａの割合が増加し、螺合深さが漸次深くなり、回転角度が９０°又はほぼ９０°となった時点で、雄ネジ形成領域２Ａの全体またはほぼ全体が雌ネジ形成領域４Ａに対面し、螺合深さが最も深くなる。なお、図８（ｂ）は、同図（ａ）の矢印Ａ方向から見た要部拡大模式図である。なお、図７（ｂ），図８（ｂ）では、摘まみ部３及びベース部材５を省略している。
【００４２】
以上の処理手順を経ることによって、本実施形態に係るネジ締り錠Ｘは、雄ネジ部材１を雌ネジ部材４に螺合させた施錠状態になり、第１開閉体Ｄ１及び第２開閉体Ｄ２の相対移動を規制することができる。なお、ユーザが摘まみ部３を摘まんだ状態で所定方向に回転させる角度が９０°未満であっても、雄ネジ形成領域２Ａの一部が雌ネジ形成領域４Ａに対面すれば、雄ネジ形成領域２Ａのうち雌ネジ形成領域４Ａに対面する部分の雄ネジ２Ｓが、雌ネジ形成領域４Ａの雌ネジ４Ｓに螺合が螺合することで、ネジ締り錠Ｘは施錠状態になる。したがって、本実施形態に係るネジ締り錠Ｘによれば、非螺合状態にあるネジ軸部２を所定方向に回転させる角度が９０°に満たない場合であっても、雄ネジ形成領域２Ａの一部が雌ネジ形成領域４Ａに対面する角度（本実施形態であれば４５°程度）まで回転させる操作力を付与することで、施錠状態になる。
【００４３】
また、本実施形態に係るネジ締り錠Ｘでは、施錠処理時において、ユーザが摘まみ部３を摘まんだ状態で所定方向に回転させて、その回転角度が９０°に近付くにつれて、螺合深さが漸次深くなることから、前記回転角度が９０°に近付くにつれて操作抵抗も漸次増大する。したがって、ユーザが操作抵抗を感じ始めてからある程度その操作抵抗が大きくなったと感じた時点（前記回転角度が９０°に満たない時点であってもよい）で、摘まみ部３を回転させる操作を停止することによって、雄ネジ部材１と雌ネジ部材４の適度な螺合深さを確保することができる。
【００４４】
なお、施錠処理時において、ユーザが摘まみ部３を摘まんだ状態で所定方向に９０°を越える角度まで回転させようとすると、その直前（回転角度が９０°またはほぼ９０°である時点）まで雌ネジ形成領域４Ａに対面していた雄ネジ形成領域２Ａの一部が雌ネジ切除領域４Ｂに対面し始めることになる。そして、雄ネジ形成領域２Ａのうち雌ネジ切除領域４Ｂに対面する部分では、雄ネジ形成領域２Ａの雄ネジ２Ｓが雌ネジ４Ｓに螺合し得ず、過度に大きな操作抵抗が生じることで、摘まみ部３を含む雄ネジ部材１全体のそれ以上同一方向への回転を制限することができる。
【００４５】
一方、本実施形態に係るネジ締り錠Ｘの施錠状態を解除するには、ユーザが摘まみ部３を摘まんだ状態で施錠処理時とは逆方向へ９０°またはほぼ９０°回転させる操作力を付与すればよい。この操作力によって、摘まみ部３が水平状態から直立状態に変更し、ネジ軸部２が螺合姿勢から非螺合姿勢になり、雄ネジ部材１と雌ネジ部材４の螺合状態を解除することができる。すなわち、摘まみ部３を水平状態から直立状態に変更すると、雄ネジ部材１は、雄ネジ形成領域２Ａが雌ネジ切除領域４Ｂに対面し且つ雄ネジ切除領域２Ｂが雌ネジ形成領域４Ａに対面する非螺合姿勢になり、雄ネジ形成領域２Ａの雄ネジ２Ｓと雌ネジ形成領域４Ａの雌ネジ４Ｓの螺合状態が解除される（図７（ｂ）参照）。より具体的には、ユーザが摘まみ部３を摘まんだ状態で当該摘まみ部３を直立状態に起こす方向に回転させると、雄ネジ形成領域２Ａが雌ネジ切除領域４Ｂに対面し始めて、摘まみ部３が直立状態に近付くにしたがって雌ネジ切除領域４Ｂに対面する雄ネジ形成領域２Ａの割合が増加し、螺合深さが漸次浅くなり、摘まみ部３が直立状態になった時点で、雄ネジ形成領域２Ａの全体またはほぼ全体が雌ネジ切除領域４Ｂに対面し、螺合状態が完全に解除される。
【００４６】
以上の処理手順を経ることによって、本実施形態に係るネジ締り錠Ｘは、雄ネジ部材１と雌ネジ部材４の螺合状態を解除した状態になる。そして、ユーザが摘まみ部３を摘まんだ状態で、雄ネジ部材１全体をユーザ側（手前側）に引っ張ると、雄ネジ部材１を雌ネジ部材４から抜き外すことができる（図７（ａ）参照）。この際、ネジ軸部２は非螺合姿勢にあるため、ネジ軸部２の先端部の所定領域に設定している雄ネジ形成領域２Ａが、雌ネジ４Ｓの内周面の所定領域に設定している雌ネジ形成領域４Ａ部材に対面せず、これら雄ネジ形成領域２Ａ及び雌ネジ形成領域４Ａ同士が干渉する事態を回避して、ネジ軸部２の先端部を雌ネジ部材４の内周面４３から引き抜く処理をスムーズに行うことができる。また、雄ネジ部材１全体をユーザ側にある程度引っ張った時点で、雄ネジ形成領域２Ａの雄ネジ２Ｓがベース部材５（ボス部５２）に当たり、雄ネジ部材１のそれ以上同一方向（雄ネジ部材１を雌ネジ部材４から抜き外す方向）への移動が規制される。この時点で、雄ネジ部材１のうち摘まみ部３を含む第１雄ネジ要素１１全体が、ベースよりも手前に位置付けられて露出した状態にある（図３（ｂ）参照）。
【００４７】
実施形態では、摘まみ部３を直立状態にすることでネジ軸部２が非螺合姿勢になるように設定しているため、ネジ軸部２の先端部を雌ネジ部材４の内周面４３から引き抜く操作によって第１雄ネジ要素１１全体をユーザ側に引っ張り出し終えた時点で、摘まみ部３は直立状態にある（図３（ｂ）参照）。この摘まみ部３を直立状態から水平状態に変更する操作力をユーザが付与すると（図４（ｂ）参照）、摘まみ部３を含む第１雄ネジ要素１１全体が連結軸Ｌを枢支点として垂下した姿勢に変更し、雄ネジ部材１は中折れ状態になる（図５参照）。
【００４８】
このように、本実施形態に係るネジ締り錠Ｘは、雄ネジ部材１として、ネジ軸部２の先端部において軸周りに対向する２つの領域を、雄ネジ２Ｓの溝の深さまで切除された雄ネジ切除領域２Ｂに設定し、且つ軸周りにおいてこれら雄ネジ切除領域２Ｂ同士の間を雄ネジ２Ｓが形成された雄ネジ形成領域２Ａに設定したものを適用するとともに、雌ネジ部材４として、雌ネジ部材４の内周面４３において軸周りに対向する２つの領域を、雌ネジ４Ｓの溝の深さまで切除された雌ネジ切除領域４Ｂに設定し、且つ軸周りにおいてこれら雌ネジ切除領域４Ｂ同士の間を雌ネジ４Ｓが形成された雌ネジ形成領域４Ａに設定したものを適用し、ネジ軸部２を、雄ネジ形成領域２Ａが雌ネジ切除領域４Ｂに対面し且つ雄ネジ切除領域２Ｂが雌ネジ形成領域４Ａに対面する非螺合姿勢と、雄ネジ形成領域２Ａが雌ネジ形成領域４Ａに対面し且つ雄ネジ切除領域２Ｂが雌ネジ切除領域４Ｂに対面する螺合姿勢との間で変更可能に構成している。
【００４９】
このような本実施形態に係るネジ締り錠Ｘによれば、雄ネジ部材１のネジ軸部２を非螺合姿勢にして雄ネジ形成領域２Ａが雌ネジ切除領域４Ｂに対面する状態を確保することで、ネジ軸部２の先端部を雌ネジ部材４に向かってスムーズに挿入して差し込むことができるとともに、ネジ軸部２の先端部を雌ネジ部材４に差し込んだ状態で、雄ネジ部材１のネジ軸部２を非螺合姿勢から雄ネジ形成領域２Ａが雌ネジ形成領域４Ａに対面する螺合姿勢に変更することによって、雄ネジ部材１のうち雄ネジ形成領域２Ａにのみ形成されている雄ネジ２Ｓを、雌ネジ部材４のうち雌ネジ形成領域４Ａにのみ形成されている雌ネジ４Ｓに螺合させることができ、バネなどの付勢部材を要することなく、簡単な構成でありながら適切な施錠状態を実現することが可能である。
【００５０】
特に、本実施形態に係るネジ締り錠Ｘは、雄ネジ部材１のネジ軸部２の外周面において対向する２つの領域を雄ネジ切除領域２Ｂに設定し、これら２つの雄ネジ切除領域２Ｂ同士の間を雄ネジ形成領域２Ａに設定するという第１条件と、雌ネジ部材４の内周面４３において対向する２つの領域を雌ネジ切除領域４Ｂに設定し、これら２つの雌ネジ切除領域４Ｂ同士の間を雌ネジ形成領域４Ａに設定するという第２条件を満たすものであるため、ユーザが雄ネジ部材１全体を軸周りにほぼ９０°回転させる所定の操作力を付与することで雄ネジ部材１のネジ軸部２を非螺合姿勢から螺合姿勢へ変更することができ、ユーザが雄ネジ部材１全体を軸周りに一回転以上回転させる操作力が要求される従来のネジ締り錠と比較して、施錠処理を簡単に行うことができる。また、実施形態に係るネジ締り錠Ｘであれば、ユーザが雄ネジ部材１全体を軸周りにほぼ９０°回転させる所定の操作力を付与することで雄ネジ部材１のネジ軸部２を螺合姿勢から非螺合姿勢へ変更することができ、施錠を解除する処理も、ユーザが雄ネジ部材１全体を軸周りに一回転以上回転させる操作力が要求される従来のネジ締り錠と比較して簡単に行うことができる。
【００５１】
加えて、本実施形態に係るネジ締り錠Ｘによれば、雄ネジ２Ｓ又は雌ネジ４Ｓの溝の深さまで切除された領域である雄ネジ切除領域２Ｂ及び雌ネジ切除領域４Ｂを利用して、雄ネジ部材１と雌ネジ部材４が相互に螺合する状態や相互に螺合しない状態を、ユーザが上述の操作力を付与することによって実現することができ、例えばバネ等の付勢力によって良好な螺合状態を実現する態様と比較して、適切な付勢力を設計する手間も不要であり、構造の簡素化及びコンパクト化を図ることができる。
【００５２】
また、本実施形態に係るネジ締り錠Ｘは、非螺合姿勢にあるネジ軸部２を雌ネジ部材４の内周面４３に差し込んだだけの状態（ネジ軸部２は非螺合姿勢のまま）であっても、第１開閉体Ｄ１及び第２開閉体Ｄ２の相対移動を若干あそびのある状態で制限することができる。このような状態を「仮ロック状態」とすれば、本実施形態に係るネジ締り錠Ｘは、仮ロック状態にしてから、ネジ軸部２を非螺合姿勢から螺合姿勢に変更することで、第１開閉体Ｄ１及び第２開閉体Ｄ２の相対移動をほぼ皆無に制限するロック状態になる。したがって、第１開閉体Ｄ１及び第２開閉体Ｄ２の相対移動をある程度制限すればよい場面等では、ネジ締り錠Ｘを仮ロック状態にすることで足り、施錠レベルに応じて、仮ロック状態とロック状態を使い分けることが可能である。
【００５３】
また、本実施形態に係るネジ締り錠Ｘでは、雄ネジ部材１の基端部に扁平形状の摘まみ部３を設け、摘まみ部３の厚み方向が上下となる水平状態でネジ軸部２が螺合姿勢になり、摘まみ部３を水平状態に対してほぼ９０°回転させた直立状態でネジ軸部２が非螺合姿勢になるように構成しているため、ユーザが手のひらを下に向けた自然な格好（手のひらを横に向けて親指を人差し指よりも上側にする必要のない格好）で摘まみ部３を親指と人差し指で摘まんで直立状態にすることで、ネジ軸部２が非螺合姿勢になり、ネジ軸部２を非螺合姿勢にして行う雌ネジ部材４に対する雄ネジ部材１の差込処理をスムーズに行うことができる。また、差込処理に続いて、直立状態にある摘まみ部３を倒伏させる方向にほぼ９０°回転させる操作力を付与することで、摘まみ部３が水平状態になり、これに伴って、ネジ軸部２が非螺合姿勢から螺合姿勢に変更して、雄ネジ部材１及び雌ネジ部材４を相互に螺合させることができる。
【００５４】
また、本実施形態に係るネジ締り錠Ｘは、施錠・解錠が要求される開閉体Ｄ１，Ｄ２同士の間に設けられるものであり、特に、木製枠を有する開閉体の導入事例が増加傾向にある建築物において、上述の木製枠Ｆ１，Ｆ２に本実施形態に係るネジ締り錠Ｘを適用することで、上述のメリットを得ることができ、実用性・使い勝手が格段に向上する。
【００５５】
なお、本発明は上述した実施形態に限定されるものではない。例えば、上述の実施形態では、雄ネジ部材における雄ネジ形成領域と雄ネジ切除領域をネジ軸部の軸周りにほぼ９０°ピッチで交互に設定した態様を例示したが、ネジ軸部の軸周りにおける雄ネジ形成領域を雄ネジ切除領域よりも大きく設定、あるいは小さく設定する等、ネジ軸部の軸周りにおける雄ネジ形成領域と雄ネジ切除領域の比率を適宜調整することができる。雌ネジ部材の内周面における雌ネジ形成領域及び雌ネジ切除領域の比率も雄ネジ部材に応じて適宜調整することができる。
【００５６】
また、ネジ軸部における雄ネジ形成領域及び雄ネジ切除領域の軸方向に沿った寸法は、雌ネジ部材の軸方向に沿った雌ネジ形成領域や雌ネジ切除領域の寸法に応じて適宜設定すればよい。
【００５７】
上述の実施形態では、基端部に扁平形状の摘まみ部を有し、摘まみ部の厚み方向が上下となる水平状態でネジ軸部が螺合姿勢になり、摘まみ部を水平状態に対してほぼ９０°回転させた直立状態でネジ軸部が非螺合姿勢になる態様を例示したが、摘まみ部を水平状態にすることでネジ軸部が非螺合姿勢になり、摘まみ部を直立状態にすることでネジ軸部が螺合姿勢になるように設定しても構わない。なお、ネジ軸部の軸周りにおける雄ネジ形成領域と雄ネジ切除領域の比率が相互に異なるように設定した構成であれば、摘まみ部を水平状態と直立状態の間で切り替える操作が、ネジ軸部の螺合姿勢・非螺合姿勢の変更に直結しなくなる。この場合、摘まみ部として、例えば単純な棒状のもの等、扁平状以外の形状のものを適用してもよい。
【００５８】
また、ネジ軸部が螺合姿勢であることを示す目印を雄ネジ部材の適宜箇所に設けたり、施錠時のネジ軸部の回転方向、開錠時のネジ軸部の回転方向の何れか一方、又は両方を示す目印を雄ネジ部材の適宜箇所に設けることもできる。
【００５９】
特に、雄ネジ部材として、軸周りの特定の位置でのみ雌ネジ部材への挿脱を許容する挿脱規制部を備えたものを適用することができる。具体例としては、雄ネジ部材の所定箇所（例えばネジ軸部のうち雄ネジ形成領域や雄ネジ切除領域が設定されている領域よりも基端部側の所定箇所）における外周面の一部に、径方向に突出する突起部を設け、この突起部を挿脱規制部として機能させることができる。この場合、上述の実施形態におけるベース部材の雄ネジ支持孔に、雄ネジ部材の突起部の通過を許容する凹部を軸方向に連続して形成し、凹部に突起部が若干あそびのある状態で嵌合する姿勢に雄ネジ部材を設定すれば、雄ネジ部材が自ずと非螺合姿勢になり、当該姿勢にある雄ネジ部材を雌ネジ部材にスムーズに差し込むことができる。なお、雄ネジ部材を雄ネジ部材に差し込んだ時点で、雄ネジ部材の突起部がベース部材の雄ネジ支持孔を完全に通過するように、雄ネジ部材における軸方向に沿った突起部の形成領域を設定している。これにより、雄ネジ部材を雌ネジ部材に差し込んだ後に非螺合姿勢から螺合姿勢に変更する施錠処理、及び雄ネジ部材を螺合姿勢から非螺合姿勢に変更する解錠処理もスムーズに行うことができる。また、雄ネジ部材を雌ネジ部材から引き抜く際も、ベース部材の凹部に突起部が若干あそびのある状態で嵌合する姿勢に雄ネジ部材を設定することで、当該引き抜き処理もスムーズに行うことができる。
【００６０】
本発明では、施錠時や開錠時にユーザが操作力を直接付与する操作部として、摘まみ部に代えて、例えばユーザが１本または複数本の指を掛けることが可能な指掛け部や、ハンドル状あるいはレバー状のもの等、適宜のものを適用することが可能である。
【００６１】
また、上述の実施形態では中折れタイプの雄ネジ部材を例示したが、中折れしないタイプの雄ネジ部材を例示してもよい。この場合、開錠状態で雄ネジ部材全体を開閉体から抜き出して垂下姿勢となるように設定することも可能である。
【００６２】
本発明に係るネジ締り錠は、木製以外の枠に設けたり、引き戸以外の開閉体（窓等）に設けることができる。また、雌ネジ部材を、雄ネジ部材が設けられた開閉体によって開閉される開口部の仕切り枠（開口枠）に配置してもよい。
【００６３】
その他、各部の具体的構成についても上記実施形態に限られるものではなく、本発明の趣旨を逸脱しない範囲で種々変形が可能である。
【符号の説明】
【００６４】
１…雄ネジ部材
２…ネジ軸部
２Ａ…雄ネジ形成領域
２Ｂ…雄ネジ切除領域
２Ｓ…雄ネジ
３…摘まみ部
４…雌ネジ部材
４Ａ…雌ネジ形成領域
４Ｂ…雌ネジ切除領域
４Ｓ…雌ネジ
Ｄ１，Ｄ２…開閉体（第１開閉体，第２開閉体）
Ｆ１，Ｆ２…枠（第１木製枠，第２木製枠）
Ｘ…ネジ締り錠
【図１】
2017203246.tif 000003
【図２】
2017203246.tif 000004
【図３】
2017203246.tif 000005
【図４】
2017203246.tif 000006
【図５】
2017203246.tif 000007
【図６】
2017203246.tif 000008
【図７】
2017203246.tif 000009
【図８】
2017203246.tif 000010